(57)【要約】【課題】  結線操作した電線の状態に応じて結線完了の表示が変わり、また表示部材が電線の接続を不安定にすることのない。【解決手段】  回動表示部材３の回動支点を電線差込口７側の電線収容部６下方に設け、表示動作部１０を遮断器ケース５上部に露出させ、板バネ２の後方となる回動表示部材３の中間部位に、差し込まれた電線に下方から干渉する干渉部１２を配置した。速結端子１１へ電線が差し込まれると、干渉部１２が電線に干渉して回動表示部材３が回動する。この回動により表示動作部１０が移動し、覆片１４により隠れていた結線表示部１５を露出させ、結線完了を表示させた。【選択図】  図１
2005353380.tif 000002
【特許請求の範囲】
【請求項１】
コ字状の電線収容部を備えた端子座と、この電線収容部に配置されて遮断器ケースの電線差込口から差し込まれた電線を下方から係止する板バネと、前記差し込まれた電線に干渉して回動する回動表示部材と、この回動表示部材の回動に対して、回動を阻止する方向に常時付勢する阻止バネと、を有する速結端子を備えた回路遮断器において、
前記回動表示部材は、前記電線差込口側の前記電線収容部下方に回動支点を有し、上端は遮断器ケース上部に露出して電線の接続状態を表示する表示動作部を成し、更に略中央部に、差し込まれた電線に下方から干渉する干渉部を有し、
前記速結端子へ差し込まれた電線に前記干渉部が干渉することで、前記回動表示部材が回動して前記表示動作部が移動し、結線状態を表示することを特徴とする回路遮断器。
【請求項２】
干渉部は、差し込んだ電線が板バネを超えた位置に配置され、板バネの後方で電線を端子座に押圧するよう電線に干渉動作する請求項１記載の回路遮断器。
【請求項３】
表示動作部の一端に遮断器ケース上面の一部を覆う覆片を設ける一方、電線が結線された際に前記覆片の移動により露出する前記遮断器ケース上面の部位を結線表示部とし、電線の結線が完了したら、前記結線表示部の露出により結線が終了したことを表示する請求項１又は２記載の回路遮断器。
【発明の詳細な説明】
【技術分野】
【０００１】
本発明は、速結端子を備えた回路遮断器に関し、詳しくは速結端子に接続した電線の接続状態を表示する機構を備えた回路遮断器に関する。
【背景技術】
【０００２】
比較的電流容量の小さな回路遮断器においては、電線接続端子を電線を挿入するだけで結線される速結端子としたものが使用され始めている。このような速結端子を備えた回路遮断器は、結線が確実に行われていることを作業者に報知するために、電線が差し込まれて結線されたら動作する表示部材を設けて、結線を表示する機構を備えたものがある。図７、図８は、このような表示部材を備えた代表的な従来の速結端子の構成を示している。図７において、２１は遮断器ケース、２２は表示部材、２２ａは結線表示部、２３は表示部材２２を付勢するバネ、２４は電線を係止する板バネ、２５は電線を示し、電線２５の差し込みにより、電線側部に表示部材２２の下端が係合して回動し、遮断器ケース２１上部に露出させた結線表示部２２ａを変化させて結線状態を表示している。
また、図８において、２７は遮断器ケース、２８は表示部材、２８ａは結線表示部を示し、挿入した電線２５の先端が表示部材２８の下部に衝突することで表示部材２８が回動し、同様にケース上部に設けた結線表示部２８ａを変化させて結線状態を表示している（例えば、特許文献１参照）。
【特許文献１】特開２００２−１０９９８４号公報
【発明の開示】
【発明が解決しようとする課題】
【０００３】
しかし、上図７の構成の場合、表示部材２２が電線２５に係合する係合部は、バネ２３の付勢力により、電線２５が端子座へ接触するのを絶つ矢印の方向へ押圧されているため、電線２５の接触が不安定になることがあった。また、バネ２３の付勢力により電線２５が曲がり、表示部が正確に表示動作しない場合があった。更に、電線２５の状態に拘わらず規格外の細い電線であっても電線２５の先端に係合して結線完了を表示してしまい、不完全な結線状態であっても結線完了と表示する場合があった。
また、図８の構成の場合、表示部材２８は、電線２５の状態に拘わらず規格外の細い電線であっても、また潰れた電線であっても電線２５の先端に係合して結線完了を表示してしまい、不完全な結線状態であっても結線完了と表示する場合があった。また、バネ２３により表示部材２８は挿入された電線２５を、矢印に示す常時押し出す方向へ付勢しているので、電線２５が細い場合など、抜けてしまうことがあった。
【０００４】
そこで、本発明はこのような問題点に鑑み、結線操作した電線の状態に応じて結線表示部の表示を変えることができ、また表示部材が電線の接続を不安定にするような動作をしない回路遮断器を提供することを目的とする。
【課題を解決するための手段】
【０００５】
上記課題を解決する為に、請求項１に記載の発明は、コ字状の電線収容部を備えた端子座と、この電線収容部に配置されて遮断器ケースの電線差込口から差し込まれた電線を下方から係止する板バネと、前記差し込まれた電線に干渉して回動する回動表示部材と、この回動表示部材の回動に対して、回動を阻止する方向に常時付勢する阻止バネと、を有する速結端子を備えた回路遮断器において、前記回動表示部材は、前記電線差込口側の前記電線収容部下方に回動支点を有し、上端は遮断器ケース上部に露出して電線の接続状態を表示する表示動作部を成し、更に略中央部に、差し込まれた電線に下方から干渉する干渉部を有し、前記速結端子へ差し込まれた電線に前記干渉部が干渉することで、前記回動表示部材の回動により前記表示動作部が移動して、結線状態を表示することを特徴とする。
この構成により、回動支点と表示動作部の中間に電線に干渉する干渉部を配置したので、干渉部の位置変化は、拡大されて表示動作部の位置変化として現れる。その結果、電線の太さや差込状態に応じて僅かに変わる干渉部の位置変化は表示動作部の位置変化に拡大されて現れる。この拡大変化を利用して差し込まれた電線の状態を判断することができ、表示動作部の移動量が所定量に満たない場合は、結線不完全と判断することが可能となる。
【０００６】
請求項２の発明は、請求項１に記載の発明において、干渉部は、差し込んだ電線が板バネを超えた位置に配置され、板バネの後方で電線を端子座に押圧するよう電線に干渉動作することを特徴とする。
この構成により、干渉部は板バネの後方に配置されるので、電線が十分差し込まれないと電線の状態に拘わらず結線完了を表示することはなく、間違った表示をすることがない。また、干渉部の干渉作用は、電線の結線を助ける働きをする。従って、電線の接続作用を不安定にするようなことはない。
【０００７】
請求項３の発明は、請求項１又は２に記載の発明において、表示動作部の一端に遮断器ケース上面の一部を覆う覆片を設ける一方、電線が結線された際に前記覆片の移動により露出する前記遮断器ケース上面の部位を結線表示部とし、電線の結線が完了したら、前記結線表示部の露出により結線が終了したことを表示することを特徴とする。
このように構成することで、結線表示部が露出されることで、作業者は結線完了を認識でき、安心して結線作業を進めることができる。また、結線表示部の露出具合から不完全な結線状態を読み取ることがで可能となる。
【発明の効果】
【０００８】
本発明によれば、電線の太さや差込状態に応じて僅かに変わる干渉部の位置変化は表示動作部の位置変化に拡大されて現れる。この拡大された変化を利用して差し込まれた電線の状態を判断することができ、表示動作部の移動量が所定量に満たない場合は、結線不完全と判断することが可能となる。
また、  回動表示部材の干渉部は、電線を端子座に押圧するよう電線に干渉するので、干渉部の干渉作用が、電線の接続作用を不安定にするようなことがない。
【発明を実施するための最良の形態】
【０００９】
以下、本発明を具体化した実施の形態を、図面に基づいて詳細に説明する。図１は本発明に係る回路遮断器の一例を示す説明図で、速結端子部の構成を示している。また、図２は、速結端子の分解斜視図を示している。図において、１は速結端子１１の端子座、２は電線を係止する板バネ、３は回動表示部材、４は回動表示部材３の回動を阻止する一定方向へ付勢する阻止バネ、５は遮断器ケースである。
【００１０】
端子座１は、鋼板を折り曲げて形成され、略コ字状に形成した電線収容部６を有し、遮断器ケース５に形成された電線差込口７の内部にこの電線収容部６が配置されて、端子座１は組み付けられる。また、板バネ２は、電線に係止する係止部２ａと電線を端子座１に圧接する押圧部２ｂとを有し、係止部２ａを電線差込口７側に配置して電線収容部６に組み込まれる。
【００１１】
回動表示部材３は、下部に回動支点となる回動軸部９を有し、上部に表示動作部１０が形成され、図１に示すように、回動軸部９は電線差込口７側の電線収容部６下方に配置され、表示動作部１０は遮断器ケース５の上面に露出している。図３はこの回動表示部材３を示し、（ａ）は反転した状態の斜視図、（ｂ）は端子座１との関係を示す斜視図、（ｃ）は図（ｂ）において右から見た側面図を示している。この図３に示すように、回動表示部材３は、略中央部の板バネ２の後方となる部位に、差し込まれた電線に下方から当接する干渉部１２が設けられ、略中央部の電線差込口７側には板バネ２を上方から押圧して板バネ２の係止を解除操作するための解除干渉片１３が設けられている。
【００１２】
また、表示動作部１０は、回動軸部９を中心とする一定の曲率で形成された曲面で形成され、図１に示すように、その電線差込口７側端部が遮断器ケース５の上面の一部を覆うように舌状の覆片１４が延設されている。この覆片１４で覆われたケース５の上面が、電線の結線完了を表示する結線表示部１５となっている。また、表示動作部１０のほぼ中央には端子座１まで貫通した孔１６が穿設されている。
【００１３】
このように形成された各部材は図１に示すように配置され、阻止バネ４は、回動表示部材３と遮断器ケース５の間に、回動表示部材３を常時電線差込口側７に付勢するよう配置される。この阻止バネ４の付勢により、干渉部１２は、電線を端子座１の最上片である電線収容部６の上部に圧接するように電線に干渉動作する。
尚、遮断器ケース５は、３分割形成された遮断器ケースの１つを示すもので、これを左ケースとすると、略対称に形成された右ケース及び中央に挟まれる中央部材の３部材から遮断器ケース全体は形成されている。また、速結端子１１は隣接して一対設けられ、図２に示す１７は銅バーが挿入される電源側端子口である。
【００１４】
このように形成された速結端子１１の動作を図４〜図６の動作説明図を基に説明する。まず、電線を差し込む前が図１の状態であり、表示動作部１０の覆片１４は結線表示部１５を覆っている。そして、図４、図５は良好な結線が成されている状態、図６は不完全な結線状態を示している。
始めに、良好に結線された場合を説明する。図４は、比較的細径の電線が差し込まれた状態、図５は太径の電線が差し込まれた場合を示し、図において１８が電線であり、電線差込口７から差し込まれた電線１８は、端子座１の電線収容部６の上面と板バネ２の間に挿入される。そして、更に差し込むことで電線１８の先端は電線収容部６の奥端となる遮断器ケースの突起部５ａに当接する。この突起部５ａに当接することで差込は終了となり、板バネ２の押圧部２ｂが電線１８を端子座１に押圧すると共に、係止部２ａが電線１８の戻り動作を阻止し、電線１８は確実に速結端子１１に結線される。
【００１５】
こうして、差し込む電線１８の径が変化しても、先端が電線収容部６の奥端まで挿入され、確実な接続が成された場合、回動表示部材３の干渉部１２は電線１８に干渉して回動表示部材３は回動する。その結果、表示動作部１０が移動して結線表示部１５が露出するし、この露出により結線が完了したことが表示される。但し、電線１８の径の違いにより表示動作部１０の移動量は異なり、電線１８が太いほど移動量は大きくなる。そのため、細径の電線が良好に結線された状態の移動量で結線表示部１５が適度に露出するよう結線表示部１５の広さを決定すれば、結線状態の表示が作業者にわかりやすくなり、好ましいものとなる。
尚、電線１８の差込操作の際に、表示動作部１０を電源側端子口１７側に手動操作で移動することで、回動表示部材３は回動して干渉部１２の干渉作用を一時的に解除でき、電線１８の差し込みを無理なく行うことができる。
【００１６】
次に、結線が不完全な場合を説明する。図６に示す不完全な結線状態のうち、図６（ａ）は電線１８の差し込み量が不十分な場合を示している。この場合、干渉部１２は電線１８に干渉しないので、回動表示部材３が回動しない。従って、表示動作部１０は移動せず、覆片１４は結線表示部１５を覆ったままで結線完了表示をしない。
図６（ｂ）は電線１８の差し込み量は十分となっているが、電線１８が細すぎるか、端部が潰れていることで十分な結線とはいえない状態を示している。この場合は、回動表示部材３は回動したとしても僅かであり、結線表示部１５は結線完了表示をしない。或いは十分な結線完了表示をしない。
【００１７】
このように、回動支点と表示動作部の中間に電線に干渉する干渉部を配置したので、干渉部の位置変化は、拡大されて表示動作部の位置変化として現れる。その結果、電線の太さや差込状態に応じて僅かに変わる干渉部の位置変化は拡大されて表示動作部の位置変化として現れ、この拡大変化を利用して差し込まれた電線の状態を判断することができる。
そして、覆片を設け、その覆片の移動により結線表示部が露出されることで、作業者は結線完了を認識でき、安心して結線作業を進めることができる。また、結線表示部の露出が所定量に満たない場合は、結線不完全と判断することが可能となり、不完全な結線状態を読み取ることができる。
また、干渉部は板バネの後方に配置されるので、電線が十分差し込まれないと電線の状態に拘わらず結線完了を表示することはなく、間違った表示をすることがないし、干渉部は端子座に電線を押圧するように作用するので、干渉部の干渉作用が電線の接続作用を不安定にするようなことがない。
【００１８】
尚、上記実施形態においては、結線表示部１５を遮断器ケース５の電線差込口７側端部としているが、表示動作部１０の移動により露出可能な部位であれば、他の部位でも良い。また、結線表示部１５を露出させることで結線完了を表示しているが、覆片１４に変えて表示動作部１０に例えば矢印を形成して、結線表示部１５を矢印の移動位置に合わせて結線完了等の文字表示で形成しても良い。
更に、結線表示部１５の表示形態に付いては特に言及していないが、表示動作部１０の移動量に応じて露出する部位の色が異なるようグラデーションを有する色で表示するようにしても良く、結線状態が判りやすい。
また、干渉部１２を回動表示部材３の略中間としているが、回動軸部９に近いほど表示動作部１０の移動量は大きくなり、結線表示部１５の変化を見やすくなる。しかし、干渉部１２を回動軸部９に近づけると電線１８の挿入抵抗が大きくなるため、略中間位置に設けるのが好ましい。
【図面の簡単な説明】
【００１９】
【図１】本発明に係る回路遮断器の実施形態の一例を示す要部説明図である。
【図２】図１の回路遮断器の要部分解斜視図である。
【図３】回動表示部材を示し、（ａ）は反転した斜視図、（ｂ）は遮断器ケースに組み付けた状態の端子座との関係を示す斜視図、（ｃ）は図（ｂ）において右側から見た側面図である。
【図４】電線が良好に接続された状態の説明図である。
【図５】電線が良好に接続された状態の説明図である。
【図６】（ａ）は電線の挿入が不十分な状態の説明図、（ｂ）は電線の状態が十分でない場合の説明図である。
【図７】従来の回路遮断器の速結端子を示す説明図である。
【図８】従来の回路遮断器の速結端子の他の例を示す説明図である。
【符号の説明】
【００２０】
１・・端子座、２・・板バネ、３・・回動表示部材、４・・阻止バネ、５・・遮断器ケース、６・・電線収容部、７・・電線差込口、９・・回動軸部、１０・・表示動作部、１１・・速結端子、１２・・干渉部、１４・・覆片、１５・・結線表示部、１８・・電線。
【図１】
2005353380.tif 000003
【図２】
2005353380.tif 000004
【図３】
2005353380.tif 000005
【図４】
2005353380.tif 000006
【図５】
2005353380.tif 000007
【図６】
2005353380.tif 000008
【図７】
2005353380.tif 000009
【図８】
2005353380.tif 000010